(57)【要約】【課題】  製造が容易、かつ、無駄なく行える棚板支持具を、また、取り付け状態が邪魔になることが無く使用に便利な棚板支持具を提供する。【解決手段】  棚板支持部材３とその取り付け部材５とからなり、棚板支持部材３と取り付け部材５とが分離し固定具５８により組み立てられる構成で、取り付け部材５が棚支持部材３の一方側面と他方側面とに選択的に固定配置可能としてなることを特徴とする棚板支持具、及び、棚板支持部材３とその基部３１に一体に設けられる取り付け部材５とからなり、取り付け部材５の被取り付け垂直材７１への固定部分Ｋが、棚板支持部材３の基部３１から先端部３２に延び出す側に位置することを特徴とする棚板支持具。【選択図】図１
2009203070.tif 000002
【特許請求の範囲】
【請求項１】
棚板支持部材とその取り付け部材とからなり、
前記棚板支持部材と前記取り付け部材とが分離し固定具により組み立てられる構成で、前記取り付け部材が前記棚支持部材の一方側面と他方側面とに選択的に固定配置可能としてなることを特徴とする棚板支持具。
【請求項２】
棚板支持部材とその基部に一体に設けられる取り付け部材とからなり、
前記取り付け部材の被取り付け垂直材への固定部分が、前記棚板支持部材の基部から先端部に延び出す側に位置することを特徴とする棚板支持具。
【発明の詳細な説明】
【技術分野】
【０００１】  この発明は、各種棚体において使用される棚板支持具に関する。
【背景技術】
【０００２】  倉庫内等においては、棚体が並設され、その棚板上に多くの物品が載置収納される。通常この種の棚体は水平材と垂直材とが連結されて立体的に構成され、その水平材上にパレット形態等の棚板が配置されている。棚板は、例えば、２段に設けられるが、収納物品が小さく高さが無い場合は収納スペースが無駄になり、そのような場合には垂直材に別途金属製の棚板支持具を取り付け、そこに補助的に棚板を設けることで対応している。
【発明の開示】
【発明が解決しようとする課題】
【０００３】  従来のこの種の棚板支持具は、棚板支持部材とその棚体への取り付け部材とが溶接により一体に固定されており、溶接による固定作業に非常に手間がかかる問題があった。また、溶接により一体とされた場合には、取り付け部材からの棚板支持部材の突出方向が限定されてしまう。実際の使用に際しては棚板支持具は向かい合うように一対のものが必要となり、したがって従来品の場合、棚板支持部材が取り付け部材から相反する突出方向を持つ２種類の棚板支持具を製造しなければならなかった。【０００４】  また、従来の棚板支持具は取り付け部材の棚体の垂直材へのボルトなどによる固定が棚体の外側位置において行われる構成となっていた。そのような構成では、図４に示すように棚体を並設した際には、その突出する固定部分が邪魔となって棚体どうしを近接して配置できず、倉庫内スペースの有効使用の妨げとなり、また、棚体間へ物品が落下しやすいという問題もあった。【０００５】  この発明では、製造が容易、かつ、無駄なく行える棚板支持具を提供し、また、取り付け状態が邪魔になることが無く使用に便利な棚板支持具を提供することを目的とする。
【課題を解決するための手段】
【０００６】  請求項１の発明では、棚板支持部材とその取り付け部材とからなり、前記棚板支持部材と前記取り付け部材とが分離し固定具により組み立てられる構成で、前記取り付け部材が前記棚支持部材の一方側面と他方側面とに選択的に固定配置可能としてなることを特徴とする棚板支持具を提供する。請求項２の発明では、棚板支持部材とその基部に一体に設けられる取り付け部材とからなり、前記取り付け部材の被取り付け垂直材への固定部分が、前記棚板支持部材の基部から先端部に延び出す側に位置することを特徴とする棚板支持具を提供する。【０００７】  請求項１の発明によれば、棚板支持部材と取り付け部材とが分離構成で固定具により固定されるで、従来のような手間のかかる溶接作業が不用となる。くわえて、取り付け部材が棚支持部材の一方側面と他方側面とに選択的に固定配置可能としているので、部材を共通として異なる方向に棚板支持部材が突出する棚板支持具が得られる。請求項２の発明によれば、取り付け部材の被取り付け垂直材への固定部分が棚板支持部材の基部から先端部に延び出す側に位置することで、棚板支持具はその固定部分がこの棚板支持具が使用される棚体の正面から見て内側に突出するように取り付けられ、棚板支持具は外側にはほとんど突出することがない。これにより、棚体を並設する際その配置隙間を小さくすることができる。
【発明の効果】
【０００８】  請求項１の発明によれば、棚板支持具が製造容易に、かつ、棚板の支持方向が異なる棚板支持具が同じ部材を使用して無駄なく製造できる。請求項２の発明によれば、棚体の並設が隙間スペースを小さくして行える棚板支持具が得られる。
【発明を実施するための最良の形態】
【０００９】  図１はこの発明の棚板支持具の前面側斜視図、図２はこの発明の棚板支持具の後面側斜視図である。【００１０】  棚板支持具１は全体が金属製で、棚板支持部材３と、その基部３１に固定される取り付け部材５とからなる。棚板支持部材３は断面がコ字型で基部３１から先端部３２側にいくにしたがって細く形成されている。取り付け部材５はベース部５１とそれにピン５２により矢印Ａ方向に回動可能に取り付けられる押さえ部５３、押さえ部５３の先端にピン５５により矢印Ｂ方向に回動可能に取り付けられるボルト係止部５６、ベース部５１の先端にピン５７により矢印Ｃ方向に回動可能に取り付けられるボルト部（固定具）５８とから構成される。【００１１】  図３は棚板支持部材３と取り付け部材５との固定構造、取り付け部材５の棚体７の垂直材７１への取り付け構造を示す断面図である。取り付け部材５のベース部５１面が棚板支持部材３の基部３１の側面に当接され、２本の連結ボルト６、６が使用されることで両者は互いに固定されている。連結ボルト６、６それぞれには金属製の補強用カラー６１、６１のそれぞれが遊嵌されており、これによりナット６３、６３それぞれが強固に締め付けられた際にも棚板支持部材３が歪むことなく強固に固定されるようになっている。また、その固定に際しては棚板支持部材３の側面に係止孔３３が突出形成されており、この係止孔３３にベース部５１の先端に設けられた係止突起５４が嵌入係止される状態とされる。これにより、棚板支持部材３と取り付け部材５とは、連結ボルト６６それぞれによる位置、係止孔３３の位置の計３箇所の位置で、すなわち、３点支持の状態において強固に固定される。また、固定作業に際しては、係止突起５４を係止孔３３に係止させる状態で棚板支持部材３と取り付け部材５との連結ボルト６６の挿入孔それぞれの位置合わせが容易にできる。【００１２】  図４は棚板支持具１が取り付けられた棚体７０の正面図であり、２台の棚体７０、７０が並設されている。棚体７０は上下の水平材７３それぞれの上にパレット（棚板）７４それぞれ設けられており、棚板支持具１はその間に補助的にパレット７５を設けるように相対する垂直材７１それぞれに取り付けられている。また、棚体７０の後部の相対する垂直材７１それぞれにも同高さに棚板支持具１が同様に取り付けられている。取り付けに際しては、取り付け部材５の押さえ部５３を回動して開き、ベース部５１と押さえ部５３との間に垂直材７１を位置させ、押さえ部５３を閉じ、ボルト部５８を回動してその先端をボルト係止部５６の係止開口５９に係止し、その先端に装着したナット９０を締め付ける。この締め付けにより押さえ部５３が垂直材７１をベース部５１に押さえ付ける状態、すなわち、垂直材７１をベース部５１と押さえ部５３との間に挟持固定する状態となり、取り付け部５が垂直材７１に固定されて棚板支持具１は取り付けられる。【００１３】  棚板支持具１は、上記のようにボルト部５８による棚板支持具１の垂直材７０への固定部分Ｋが正面から見た際に棚体７０の内側に突出するように取り付けられ、外側にはほとんど突出することがないので、棚体７０それぞれを配置隙間Ｓを小さくして並設ことができる。固定部分Ｋが棚��７０の前側に位置するが、その内側への突出位置は前後方向において棚板支持部材３とほぼ重なり、これにより棚板７０上への物品の出し入れに際して固定部分Ｋが邪魔となることはほとんどない。【００１４】  上記相対配置される一対の棚板支持具１は、取り付け部材５に対して棚板支持部材３が異なる方向に突出している。この棚板支持具１では、棚板支持部材３の基部３１の両側部に係止孔５４が相対配置され両側部が同形状とされているので、そのそれぞれの側に選択的に取り付け部材５を取り付けることで、同様の部材を使用して異なる方向に棚板支持部材３が突出する棚板支持具１が得られる。
【図面の簡単な説明】
【００１５】
【図１】  この発明の棚板支持具の実施形態の前面側斜視図
【図２】  この発明の棚板支持具の実施形態の後面側斜視図
【図３】  この発明の棚板支持具の実施形態の要部断面図
【図４】  この発明の棚板支持具の実施形態の使用状態説明図
【符号の説明】
【００１６】  １    棚板支持具
３    棚板支持部材
５    取り付け部材
５８  ボルト部（固定具）
７０  棚体
７１  垂直材
Ｋ    固定部分
【図１】
2009203070.tif 000003
【図２】
2009203070.tif 000004
【図３】
2009203070.tif 000005
【図４】
2009203070.tif 000006